(57)【要約】【課題】演色性を向上と色ずれの抑制との両立を図ることができる発光装置等を提供する。【解決手段】基板１０と、基板１０に実装された第一発光素子２１及び第二発光素子２２と、基板１０に形成された伝熱パターン４０と備え、第二発光素子２２は、第一発光素子２１よりも、温度上昇に伴う光出力の低下の割合が大きく、第二発光素子２２は、伝熱パターン４０の上に実装されており、第一発光素子２１は、伝熱パターン４０の上に実装されていない。【選択図】図２
2015130434.tif 000002
【特許請求の範囲】
【請求項１】
基板と、
前記基板に実装された第一発光素子及び第二発光素子と、
前記基板に形成された伝熱パターンと備え、
前記第二発光素子は、前記第一発光素子よりも、温度上昇に伴う光出力の低下の割合が大きく、
前記第二発光素子は、前記伝熱パターンの上に実装されており、
前記第一発光素子は、前記伝熱パターンの上に実装されていない
発光装置。
【請求項２】
前記伝熱パターンの熱伝導率は、前記基板の熱伝導率よりも大きい
請求項１に記載の発光装置。
【請求項３】
平面視において、前記伝熱パターンは、前記第二発光素子よりも大きい
請求項１又は２に記載の発光装置。
【請求項４】
前記第二発光素子は、前記伝熱パターンの端部に実装されている
請求項３に記載の発光装置。
【請求項５】
前記伝熱パターンは、所定形状の金属パターンである
請求項１〜４のいずれか１項に記載の発光装置。
【請求項６】
前記金属パターンは、金によって構成されている
請求項５に記載の発光装置。
【請求項７】
前記伝熱パターンには、前記第一発光素子及び前記第二発光素子の動作電流が流れる
請求項１〜６のいずれか１項に記載の発光装置。
【請求項８】
さらに、前記第一発光素子及び前記第二発光素子の動作電流が流れる金属配線を備え、
前記伝熱パターンには、前記第一発光素子及び前記第二発光素子の動作電流が流れない
請求項１〜６のいずれか１項に記載の発光装置。
【請求項９】
さらに、蛍光体を含有する封止部材を備え、
前記第一発光素子及び前記第二発光素子は、前記封止部材によって封止されている
請求項１〜８のいずれか１項に記載の発光装置。
【請求項１０】
前記第一発光素子は、青色ＬＥＤチップであり、
前記第二発光素子は、赤色ＬＥＤチップであり、
前記蛍光体は、黄色蛍光体である
請求項９に記載の発光装置。
【請求項１１】
前記第一発光素子は、第一容器と、前記第一容器内に実装された第一ＬＥＤチップと、蛍光体を含有し、前記第一容器内に封入された第一封止部材とを有する表面実装型ＬＥＤ素子であり、
前記第二発光素子は、第二容器と、前記第二容器内に実装された第二ＬＥＤチップとを有する表面実装型ＬＥＤ素子である
請求項１〜８のいずれか１項に記載の発光装置。
【請求項１２】
前記第一ＬＥＤチップは、青色ＬＥＤチップであり、
前記第二ＬＥＤチップは、赤色ＬＥＤチップであり、
前記蛍光体は、黄色蛍光体である
請求項１１に記載の発光装置。
【請求項１３】
請求項１〜１２のいずれか１項に記載の発光装置を備える
照明用光源。
【請求項１４】
請求項１〜１２のいずれか１項に記載の発光装置を備える
照明装置。
【発明の詳細な説明】
【技術分野】
【０００１】
本発明は、発光装置、照明用光源及び照明装置に関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、小型、高効率及び長寿命であることから、照明用途やディスプレイ用途等、様々な製品の光源として期待されている。
【０００３】
ＬＥＤは、例えば照明用途の光源としてＬＥＤランプに用いられている。ＬＥＤランプには、電球形蛍光灯や白熱電球に代替する電球形ＬＥＤランプ（ＬＥＤ電球）、又は、直管形蛍光灯に代替する直管ＬＥＤランプ等がある。
【０００４】
また、ＬＥＤは、店舗等で用いられるダウンライトやスポットライトのように指向性の高い照明器具に代替するＬＥＤ照明器具等にも用いられる。
【０００５】
ＬＥＤランプやＬＥＤ照明器具において、ＬＥＤは、白色光等の所定の色の光を発するＬＥＤモジュール（発光装置）としてユニット化されて内蔵されている。
【０００６】
例えば、電球形ＬＥＤランプや直管ＬＥＤランプに用いられるＬＥＤモジュールは、青色光を発する青色ＬＥＤチップと、青色ＬＥＤチップの青色光によって蛍光発光する黄色蛍光体とによって白色光を生成するように構成される。
【０００７】
このようなＬＥＤモジュールは、生成される白色光に赤み成分が少なく、演色性に劣る。このため、上記のＬＥＤモジュールに、青色光で蛍光発光する赤色蛍光体を加えて赤み成分を補う方法も考えられている。
【０００８】
しかし、赤色蛍光体はエネルギー変換効率が悪く、ＬＥＤモジュールの発光効率が低下する。そこで、赤色蛍光体ではなく、赤色光を発する赤色ＬＥＤチップを加えることで演色性を向上させる技術が検討されている。
【０００９】
例えば、特許文献１には、青色ＬＥＤチップと、赤色ＬＥＤチップと、黄色蛍光体とを備えるＬＥＤモジュールが開示されている（特許文献１）。これにより、演色性に優れた白色光を発するＬＥＤモジュールを実現している。
【先行技術文献】
【特許文献】
【００１０】
【特許文献１】特開２０１１−２１６８６８号公報
【発明の概要】
【発明が解決しようとする課題】
【００１１】
しかしながら、青色ＬＥＤチップと赤色ＬＥＤチップとは、温度変化に対する光出力の低下の割合（温度特性）が異なるため、青色ＬＥＤチップと赤色ＬＥＤチップとを有するＬＥＤジュールでは、電力投入時に対して色ずれが生じるという問題がある。
【００１２】
本発明は、このような問題を解決するためになされたものであり、演色性の向上と色ずれの抑制との両立を図ることができる発光装置、照明用光源及び照明装置を提供することを目的とする。
【課題を解決するための手段】
【００１３】
上記目的を達成するために、本発明に係る発光装置の一態様は、基板と、前記基板に実装された第一発光素子及び第二発光素子と、前記基板に形成された伝熱パターンと備え、前記第二発光素子は、前記第一発光素子よりも、温度上昇に伴う光出力の低下の割合が大きく、前記第二発光素子は、前記伝熱パターンの上に実装されており、前記第一発光素子は、前記伝熱パターンの上に実装されていないことを特徴とする。
【００１４】
また、本発明に係る発光装置の一態様において、前記伝熱パターンの熱伝導率は、前記基板の熱伝導率よりも大きい、としてもよい。
【００１５】
また、本発明に係る発光装置の一態様において、平面視において、前記伝熱パターンは、前記第二発光素子よりも大きい、としてもよい。
【００１６】
また、本発明に係る発光装置の一態様において、前記第二発光素子は、前記伝熱パターンの端部に実装されている、としてもよい。
【００１７】
また、本発明に係る発光装置の一態様において、前記伝熱パターンは、所定形状の金属パターンである、としてもよい。
【００１８】
また、本発明に係る発光装置の一態様において、前記金属パターンは、金によって構成されている、としてもよい。
【００１９】
また、本発明に係る発光装置の一態様において、前記伝熱パターンには、前記第一発光素子及び前記第二発光素子の動作電流が流れる、としてもよい。
【００２０】
また、本発明に係る発光装置の一態様において、さらに、前記第一発光素子及び前記第二発光素子の動作電流が流れる金属配線を備え、前記伝熱パターンには、前記第一発光素子及び前記第二発光素子の動作電流が流れない、としてもよい。
【００２１】
また、本発明に係る発光装置の一態様において、さらに、蛍光体を含有する封止部材を備え、前記第一発光素子及び前記第二発光素子は、前記封止部材によって封止されている、としてもよい。
【００２２】
この場合、前記第一発光素子は、青色ＬＥＤチップであり、前記第二発光素子は、赤色ＬＥＤチップであり、前記蛍光体は、黄色蛍光体である、としてもよい。
【００２３】
また、本発明に係る発光装置の一態様において、前記第一発光素子は、第一容器と、前記第一容器内に実装された第一ＬＥＤチップと、蛍光体を含有し、前記第一容器内に封入された第一封止部材とを有する表面実装型ＬＥＤ素子であり、前記第二発光素子は、第二容器と、前記第二容器内に実装された第二ＬＥＤチップとを有する表面実装型ＬＥＤ素子である、としてもよい。
【００２４】
この場合、前記第一ＬＥＤチップは、青色ＬＥＤチップであり、前記第二ＬＥＤチップは、赤色ＬＥＤチップであり、前記蛍光体は、黄色蛍光体である、としてもよい。
【００２５】
また、本発明に係る照明用光源の一態様は、上記いずれかに記載の発光装置の一態様を備えることを特徴とする。
【００２６】
また、本発明に係る照明装置の一態様は、上記いずれかに記載の発光装置の一態様を備えることを特徴とする。
【発明の効果】
【００２７】
本発明によれば、演色性の向上と色ずれの抑制との両立を図ることができる。
【図面の簡単な説明】
【００２８】
【図１】図１は、青色ＬＥＤチップ及び赤色ＬＥＤチップの温度特性の違いを表すグラフである。
【図２】図２は、実施の形態１に係る発光装置の平面図である。
【図３】図３は、図２のＡ−Ａ’線における実施の形態１に係る発光装置の断面図である。
【図４Ａ】図４Ａは、比較例の発光装置における発光開始からの経過時間と光出力との関係を示す図である。
【図４Ｂ】図４Ｂは、実施の形態１に係る発光装置における発光開始からの経過時間と光出力との関係を示す図である。
【図５】図５は、実施の形態１の発光装置における第１の他の構成を示す要部拡大図である。
【図６】図６は、実施の形態１の発光装置における第２の他の構成を示す要部拡大図である。
【図７】図７は、実施の形態１の変形例に係る発光装置の平面図である。
【図８】図８は、図７のＡ−Ａ’線における実施の形態１の変形例に係る発光装置の断面図である。
【図９】図９は、実施の形態２に係る照明装置の断面図である。
【図１０】図１０は、実施の形態２に係る照明装置及び当該照明装置に接続される周辺部材（点灯装置及び端子台）との外観斜視図である。
【図１１】図１１は、実施の形態３に係る電球形ランプの構成概要を示す図である。
【発明を実施するための形態】
【００２９】
（本発明の基礎となった知見）
本願発明者らは、これまでのＬＥＤモジュール（発光装置）に関し、以下の問題が生じることを見出した。
【００３０】
上述のように、青色ＬＥＤチップと黄色蛍光体とで白色光を生成するＢ−ＹタイプのＬＥＤモジュールでは、演色性を向上させるために、赤色蛍光体を加えることが考えられている。この場合、例えば、青色ＬＥＤチップを封止する封止部材に、黄色蛍光体だけでなく赤色蛍光体を含ませることが考えられる。
【００３１】
しかし、赤色蛍光体はエネルギー変換効率が悪いので、青色ＬＥＤチップと黄色蛍光体及び赤色蛍光体とを組み合わせたＬＥＤモジュールでは、発光効率が低下するという課題がある。
【００３２】
さらに、本願発明者らの検討によれば、青色ＬＥＤチップと黄色蛍光体及び赤色蛍光体とを組み合わせたＬＥＤモジュールでは、赤色蛍光体の発光スペクトルの半値幅が広いため、人間の視感度が最も高い５５５ｎｍ付近から離れた波長域での光が多く出射するという課題があることも分かった。
【００３３】
本願発明者等は、このような観点から、赤色蛍光体を用いるのではなく、赤色ＬＥＤチップを用いる技術について改めて検討し、演色性を向上させるために、青色ＬＥＤチップと赤色ＬＥＤチップとを有するＬＥＤモジュールの開発に取り組んだ。
【００３４】
しかしながら、青色ＬＥＤチップと赤色ＬＥＤチップとでは温度特性が互いに異なるために、電力投入時に対して色ずれの問題が生じることが分かった。
【００３５】
この問題について、図１を用いて説明する。図１は、青色ＬＥＤチップ及び赤色ＬＥＤチップの温度特性の違いを表すグラフである。なお、図１における縦軸は、青色ＬＥＤチップ及び赤色ＬＥＤチップのそれぞれについて、所定の温度（例えば２５℃）における光出力（光束）を１とした場合の、相対的な光出力の値を示している。
【００３６】
図１に示すように、青色ＬＥＤチップ及び赤色ＬＥＤチップはともに、ジャンクション温度（Ｔｊ）の上昇とともに、光出力も低下する。しかし、赤色ＬＥＤチップは、青色ＬＥＤチップと比べて、温度の変化によって光出力が大きく変化するという特質がある。
【００３７】
具体的には、図１に示すように、赤色ＬＥＤチップは、青色ＬＥＤチップよりも温度上昇に伴う光出力の低下の割合が大きい。逆に言うと、青色ＬＥＤチップは、赤色ＬＥＤチップよりも温度上昇に伴う光出力の低下の割合が小さい。つまり、赤色ＬＥＤチップは、青色ＬＥＤチップよりも温度特性が悪く、青色ＬＥＤチップは赤色ＬＥＤチップよりも温度特性が良いと言える。
【００３８】
青色ＬＥＤチップと赤色ＬＥＤチップとを有するＬＥＤモジュールでは、両チップの温度特性の違いにより、電力投入時（点灯開始時）から時間が経つにつれて、青色ＬＥＤチップと赤色ＬＥＤチップとの間の光出力の差が大きくなり、ＬＥＤモジュールから放出される光の発光色が変化する。これが色ずれとして認識される。
【００３９】
本発明は、このような知見に基づいてなされたものであり、本願発明者が鋭意検討した結果、演色性の向上と色ずれの抑制との両立を図ることができる発光装置についての着想を得た。
【００４０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、工程（ステップ）、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００４１】
なお、各図は、模式図であり、必ずしも厳密に図示されたものではない。また、各図において、実質的に同一の構成に対しては同一の符号を付しており、重複する説明は省略又は簡略化する場合がある。
【００４２】
（実施の形態１）
まず、実施の形態１に係る発光装置１の構成について、図２及び図３を用いて説明する。図２は、実施の形態１に係る発光装置の平面図であり、図３は、図２のＡ−Ａ’線における同発光装置の断面図である。
【００４３】
発光装置１は、発光素子を有する発光モジュールであって、図２に示すように、基板１０と、基板１０に実装された第一発光素子２１及び第二発光素子２２と、基板１０に形成された伝熱パターン４０と備える。
【００４４】
第二発光素子２２は、第一発光素子２１よりも、温度上昇に伴う光出力の低下の割合が大きい。例えば、第一発光素子２１は青色ＬＥＤチップであり、第二発光素子２２は赤色ＬＥＤチップである。そして、第一発光素子２１は、伝熱パターン４０の上に実装されていないが、第二発光素子２２は、伝熱パターン４０の上に実装されている。
【００４５】
また、発光装置１は、さらに、少なくとも第一発光素子２１を封止する封止部材３０と、基板１０上に所定形状で形成された配線パターン５１と、基板１０上の発光素子間に形成されたワイヤパッド５２と、一対の給電端子６０と、ワイヤ７０とを備える。
【００４６】
本実施の形態における発光装置１は、基板１０にＬＥＤチップが直接実装されたＣＯＢ（Ｃｈｉｐ  Ｏｎ  Ｂｏａｒｄ）構造のＬＥＤモジュールであり、白色光を出射するように構成されている。以下、発光装置１の各構成部材について、図２及び図３を用いて詳細に説明する。
【００４７】
［基板］
基板１０は、第一発光素子２１及び第二発光素子２２を実装するための実装基板であり、第１主面（表側面）と当該第１主面とは反対側の第２主面（裏面）とを有する板状の基板である。
【００４８】
基板１０としては、セラミックからなるセラミック基板、樹脂をベースとする樹脂基板、金属をベースとするメタルベース基板、又は、ガラスからなるガラス基板等を用いることができる。
【００４９】
セラミック基板としては、アルミナからなるアルミナ基板又は窒化アルミニウムからなる窒化アルミニウム基板等を用いることができる。樹脂基板としては、例えば、ガラス繊維とエポキシ樹脂とからなるガラスエポキシ基板、又は、ポリイミド等からなる可撓性を有するフレキシブル基板等を用いることができる。メタルベース基板としては、例えば、表面に絶縁膜が形成された、アルミニウム合金基板、鉄合金基板又は銅合金基板等を用いることができる。
【００５０】
本実施の形態では、基板１０として、アルミナからなる白色のセラミック基板を用いている。より具体的には、基板１０として、アルミナ粒子を焼成させることによって構成された例えば厚みが１ｍｍ程度の白色基板である多結晶アルミナ基板（多結晶セラミック基板）を用いている。
【００５１】
セラミック基板は、樹脂基板と比べて熱伝導率が高く、第一発光素子２１及び第二発光素子２２の熱を効率良く放熱させることができる。また、セラミック基板は経時劣化が小さく、耐熱性にも優れている。また、白色基板を用いることにより、第一発光素子２１及び第二発光素子２２の光を基板１０の表面で反射させることができるので、発光装置１の光取り出し効率を向上させることができる。
【００５２】
なお、本実施の形態において、基板１０は、矩形状の基板を用いているが、基板１０の形状は、矩形状に限るものではない。例えば、基板１０として、円形や五角形以上の多角形、三角形、楕円形、その他の形状のものを用いることができる。また、仕様（製品）に応じて、長尺状の矩形基板を用いてもよい。
【００５３】
［発光素子］
第一発光素子２１及び第二発光素子２２は、いずれも、基板１０の第１主面側に実装されている点では同じであるが、第二発光素子２２が伝熱パターン４０の上に実装されているのに対して、第一発光素子２１が伝熱パターン４０の上に実装されていない。具体的には、第一発光素子２１は、基板１０の第１主面の表面に実装されているのに対して、第二発光素子２２は伝熱パターン４０の表面に実装されている。
【００５４】
本実施の形態において、第一発光素子２１及び第二発光素子２２は複数個ずつ実装されている。より具体的には、図２に示すように、２つの第一発光素子２１と２つの第二発光素子２２とが、１つずつ交互に、かつ、一列で実装されている。
【００５５】
第一発光素子２１及び第二発光素子２２は、例えば、所定の電力により所定の色の光を発する半導体発光素子であり、本実施の形態では、いずれも単色の可視光を発するベアチップである。
【００５６】
具体的には、上述のとおり、第一発光素子２１は、通電されれば青色光を発する青色ＬＥＤチップであり、例えばピーク波長が４４０ｎｍ〜４７０ｎｍの窒化ガリウム（ＧａＮ）系の半導体発光素子である。一方、第二発光素子２２は、通電されれば赤色光を発する赤色ＬＥＤチップであり、例えばピーク波長が約６３０ｎｍ〜６６０ｎｍのヒ化ガリウム（ＧａＡｓ）系の半導体発光素子である。
【００５７】
図３に示すように、第一発光素子２１及び第二発光素子２２は、いずれも基板上に複数の半導体層が積層された構造である。本実施の形態において、青色ＬＥＤチップである第一発光素子２１は、片面電極構造であって、サファイア基板に形成された半導体層の上面にｐ側電極及びｎ側電極の両電極が形成された構成である。一方、赤色ＬＥＤチップである第二発光素子２２は、両面電極構造であって、導電性基板に形成された半導体層の上面にｐ側電極（表面電極）が形成され、かつ、導電性基板の裏面にｎ側電極（裏面電極）が形成された構成である。
【００５８】
したがって、第一発光素子２１では、上面の２つの電極（ｐ側電極、ｎ側電極）に２本のワイヤ７０が接続されている。一方、第二発光素子２２では、裏面電極（ｎ側電極）に伝熱パターン４０が電気的に接続されるとともに表面電極（ｐ側電極）にワイヤ７０が接続される。
【００５９】
第一発光素子２１及び第二発光素子の基板１０への実装は、例えば、銀ペーストやはんだ等の導電性接着剤を用いて行われる。なお、第一発光素子２１の実装については、例えば、ダイアタッチ剤等を用いたダイボンディングでもよい。
【００６０】
また、本実施の形態では、図２に示すように、第二発光素子２２は、伝熱パターン４０の端部に実装されている。これにより、第二発光素子２２を第一発光素子２１に近づけることができるので、第二発光素子２２と第一発光素子２１との距離を小さくできる。したがって、色ムラを抑制できる。
【００６１】
なお、第一発光素子２１及び第二発光素子２２の実装数は、２つずつに限るものではなく、１つずつでもよいし、３つずつ以上でもよい。また、第一発光素子２１及び第二発光素子２２の実装数の比率（個数比）は、１：１に限るものではなく、２：１等、第一発光素子２１と第二発光素子２２とで異なる比率に設定してもよい。また、第一発光素子２１及び第二発光素子２２は、一列のみで実装されるのではなく、複数列又はマトリクス状に実装されていてもよい。また、第一発光素子２１及び第二発光素子２２は、交互に配置されていなくてもよい。
【００６２】
［封止部材］
封止部材３０は、第一発光素子２１及び第二発光素子２２を覆うように構成されている。本実施の形態における封止部材３０は、一列に配置された第一発光素子２１及び第二発光素子２２を一括封止するように、第一発光素子２１及び第二発光素子２２の並び方向に沿って直線状に形成されている。
【００６３】
封止部材３０は、第一発光素子２１の光によって励起されて当該第一発光素子２１の光の波長とは異なる波長の光を放射する波長変換材と、当該波長変換材を含む透光性材料とによって構成されている。
【００６４】
封止部材３０を構成する透光性材料としては、例えばシリコーン樹脂、エポキシ樹脂又はフッソ系樹脂等の透光性の絶縁樹脂材料を用いることができる。透光性材料としては、必ずしも樹脂材料等の有機材に限るものではなく、低融点ガラスやゾルゲルガラス等の無機材を用いてもよい。
【００６５】
また、封止部材３０を構成する波長変換材は、例えば蛍光体である。蛍光体は、透光性材料に含有されており、第一発光素子２１が発する光を励起光として励起されて蛍光発光し、所望の色（波長）の光を放出する。
【００６６】
本実施の形態では、第一発光素子２１が青色ＬＥＤチップであるので、白色光を得るために、蛍光体としては、例えばイットリウム・アルミニウム・ガーネット（ＹＡＧ）系の黄色蛍光体を用いることができる。これにより、青色ＬＥＤチップが発した青色光の一部は、黄色蛍光体に吸収されて黄色光に波長変換される。つまり、黄色蛍光体は、青色ＬＥＤチップの青色光によって励起されて黄色光を放出する。この黄色蛍光体による黄色光と黄色蛍光体に吸収されなかった青色光とが混ざった合成光として白色光が生成され、封止部材３０からはこの白色光が出射する。
【００６７】
なお、黄色蛍光体は、赤色ＬＥＤチップである第二発光素子２２の赤色光では励起されない。また、封止部材３０には、光拡散性を高めるためにシリカ等の光拡散材を分散させてもよい。
【００６８】
本実施の形態における封止部材３０は、シリコーン樹脂に黄色蛍光体を分散させた蛍光体含有樹脂である。このような封止部材３０は、ディスペンサーによって基板１０に塗布及び硬化することで所定形状に形成することができる。このようにして形成された封止部材３０は蒲鉾形となり、封止部材３０の長手方向に垂直な断面における形状は略半円形となる。
【００６９】
なお、本実施の形態では、第一発光素子２１及び第二発光素子２２の両方を封止部材３０によって封止したが、第二発光素子２２は封止しなくてもよい。また、第二発光素子２２を封止することで、第二発光素子２２を保護することができるが、この場合、第二発光素子２２を封止する封止部材には蛍光体が含まれていなくてもよい。
【００７０】
また、本実施の形態では、第一発光素子２１及び第二発光素子２２は封止部材３０によって一括封止されていたが、各発光素子は個別に封止されていてもよい。
【００７１】
［伝熱パターン］
伝熱パターン４０は、熱伝導を有する板状又は膜状の導電性部材であって、基板１０の第１主面に所定形状で形成される。上述のとおり、伝熱パターン４０の上には第二発光素子２２が実装される。
【００７２】
図２に示すように、本実施の形態における伝熱パターン４０は、平面視において、第二発光素子２２よりも大きく、第二発光素子２２は伝熱パターン４０が形成される領域内に実装されている。これにより、第二発光素子２２で発生する熱を効率的に伝熱パターンに伝導させることができる。
【００７３】
また、伝熱パターン４０の熱伝導率は、基板１０の熱伝導率よりも大きい。これにより、第二発光素子２２を伝熱パターン４０の表面に実装するとともに第一発光素子２１を基板１０の表面に実装することによって、第一発光素子２１で発生する熱よりも第二発光素子２２で発生する熱の方を相対的に効率良く放熱させることができる。
【００７４】
伝熱パターン４０は、例えば金属材料からなる金属パターンである。伝熱パターン４０の材料としては、金（Ａｕ）、銀（Ａｇ）又は銅（Ｃｕ）等の熱伝導率の高い金属材料を用いることができる。本実施の形態において、伝熱パターン４０は、金によって構成されている。
【００７５】
伝熱パターン４０の材料は、配線パターン５１の材料と同じにするとよい。これにより、伝熱パターン４０と配線パターン５１とを同じ工程でパターニングすることで形成することができる。
【００７６】
また、本実施の形態において、伝熱パターン４０は、配線パターン５１と電気的に接続されている。つまり、伝熱パターン４０は、放熱機能を有するだけではなく、給電配線としての機能も有する。したがって、伝熱パターン４０には、第一発光素子２１及び第二発光素子２２を動作（発光）させるための動作電流が流れている。
【００７７】
このように、伝熱パターン４０を電気的に導通させることによって、第二発光素子２２のように両面電極構造のＬＥＤチップを実装する場合には、伝熱パターン４０に当該ＬＥＤチップを実装するだけで、ＬＥＤチップの裏面電極と伝熱パターン４０との電気的接続を容易に行うことができる。なお、両面電極構造のＬＥＤチップの表面電極については、ワイヤ７０によって伝熱パターン４０にワイヤボンディングされる。
【００７８】
なお、図２に示すように、本実施の形態における伝熱パターン４０は、矩形状であるが、円形等の他の形状であってもよい。
【００７９】
［配線パターン、ワイヤパッド］
配線パターン５１は、第一発光素子２１及び第二発光素子２２を発光させるための電力を第一発光素子２１及び第二発光素子２２に供給するための給電配線であり、基板１０の第１主面に所定形状で形成されている。図２に示すように、配線パターン５１は、給電端子６０から延設されている。
【００８０】
ワイヤパッド５２は、隣り合う発光素子をワイヤボンディングするためのランドであり、基板１０の第１主面における隣り合う発光素子の間に島状に形成される。本実施の形態において、ワイヤパッド５２は、第一発光素子２１と第二発光素子２２とを電気的に接続するために、第一発光素子２１と第二発光素子２２との間に矩形状で形成されている。
【００８１】
配線パターン５１及びワイヤパッド５２は、例えば、Ａｕ、Ａｇ又はＣｕ等の金属材料からなる金属配線である。本実施の形態において、配線パターン５１とワイヤパッド５２とは、同じ金属材料を用いて同じ工程でパターニングすることで形成される。
【００８２】
［給電端子］
一対の給電端子６０は、基板１０の第１主面に形成されている。一対の給電端子６０は、発光装置１の外部（外部電源）等から所定の電力を受電するための外部接続端子（電極端子）である。一対の給電端子６０は、第一発光素子２１及び第二発光素子２２を発光させるための直流電力を受電して、配線パターン５１、ワイヤパッド５２、ワイヤ７０及び伝熱パターン４０を利用して、受電した直流電力を第一発光素子２１及び第二発光素子２２に供給する。
【００８３】
一対の給電端子６０は、例えば、矩形状にパターン形成されたＡｕ等からなる金属電極（金属端子）とすることができる。また、本実施の形態において、一対の給電端子６０の一方は、高圧側（プラス側）の接続端子であり、一対の給電端子６０の他方は、低圧側（マイナス側）の接続端子である。
【００８４】
なお、給電端子６０は、ソケット型としてもよい。この場合、給電端子６０は、樹脂製のソケットと、直流電力を受電するための導電部（導電ピン）とによって構成される。導電部は、基板１０上に形成された配線パターン５１と電気的に接続される。
【００８５】
［ワイヤ］
ワイヤ７０は、第一発光素子２１及び第二発光素子２２の各々をワイヤボンディングするための導電性細線であり、例えば金ワイヤである。具体的には、ワイヤ７０は、第一発光素子２１又は第二発光素子２２とワイヤパッド５２とを接続したり、第二発光素子２２と配線パターン５１又はワイヤパッド５２とを接続したりする。
【００８６】
なお、ワイヤ７０は、封止部材３０から露出しないように封止部材３０の中に埋め込まれているとよい。
【００８７】
［効果等］
次に、本実施の形態における発光装置１の作用効果について、図４Ａ及び図４Ｂを用いて説明する。図４Ａは、比較例の発光装置における発光開始からの経過時間と光出力との関係を示す図であり、図４Ｂは、実施の形態１に係る発光装置における発光開始からの経過時間と光出力との関係を示す図である。なお、比較例における発光装置は、実施の形態１に係る発光装置１において、伝熱パターン４０を設けずに、第二発光素子２２を基板１０上に直接実装した場合である。
【００８８】
第二発光素子２２である赤色ＬＥＤチップは、第一発光素子２１である青色ＬＥＤチップよりも温度上昇に伴う光出力の低下の割合が大きい。
【００８９】
したがって、図４Ａに示すように、比較例の発光装置では、ｔ＝である電力投入時（点灯開始時）から時間ｔが経過するにつれて、第一発光素子２１（青色ＬＥＤチップ）と第二発光素子２２（赤色ＬＥＤチップ）との間の光出力の差が大きくなる。この結果、発光装置１から放出される光の発光色が時間ｔの経過とともに変化して、色ずれとして認識される。
【００９０】
一方、本実施の形態における発光装置１では、第二発光素子２２（赤色ＬＥＤチップ）が第一発光素子２１（青色ＬＥＤチップ）よりも温度上昇に伴う光出力の低下の割合が大きいという特性そのものは比較例の発光装置の場合と同じである。
【００９１】
しかしながら、本実施の形態における発光装置１では、第二発光素子２２（赤色ＬＥＤチップ）が伝熱パターン４０の上に実装されている。これにより、第二発光素子２２（赤色ＬＥＤチップ）で発生する熱を基板１０の第１主面に平行な方向に広げることができるので、第二発光素子２２（赤色ＬＥＤチップ）で発生する熱の方を、第一発光素子２１（青色ＬＥＤチップ）で発生する熱よりも効率良く放熱させることができる。
【００９２】
この結果、図４Ｂに示すように、第二発光素子２２については、比較例の発光装置の場合と比べて、第二発光素子２２の時間の経過に伴う光出力の低下の割合を小さくすることができる。なお、第一発光素子２１についての時間の経過に伴う光出力の低下の割合は、図４Ａと図４Ｂとで同じ（時間ｔ−光出力Ｗの曲線が同じ）である。
【００９３】
したがって、本実施の形態における発光装置１によれば、電力投入時（ｔ＝0；点灯開始時）から時間ｔが経過したとしても、比較例の発光装置の場合と比べて、第一発光素子２１（青色ＬＥＤチップ）と第二発光素子２２（赤色ＬＥＤチップ）との間の光出力の差を小さくすることができる。つまり、温度特性の良い第一発光素子２１（青色ＬＥＤチップ）との出力特性の差を減らすことができ、電流投入初期からの色ずれを改善することができる。この結果、時間ｔの経過とともに発光装置１から放出される光の発光色が変化したとしても、色ずれとして認識されにくくなる。
【００９４】
また、本実施の形態における発光装置１では、青色ＬＥＤチップ及び赤色ＬＥＤチップのように温度特性が異なる発光素子を組み合わせることができる。このため、青色ＬＥＤチップと黄色蛍光体とによって白色光を生成しても赤色ＬＥＤチップで赤色成分を補うことができるので、演色性に優れた発光装置１を実現することができる。
【００９５】
以上、本実施の形態における発光装置１によれば、演色性の向上と色ずれの抑制との両立を図ることができる。
【００９６】
また、本実施の形態における発光装置１において、伝熱パターン４０の熱伝導率は、基板１０の熱伝導率よりも大きい。これにより、温度特性が悪い第二発光素子２２の放熱性をさらに向上させることができるので、第一発光素子２１と第二発光素子２２との間の光出力の差をさらに小さくすることができる。したがって、さらに色ずれを認識させにくくすることができる。
【００９７】
また、本実施の形態における発光装置１では、平面視において、伝熱パターン４０は、第二発光素子２２よりも大きい。これにより、第二発光素子２２で発生する熱を効率的に伝熱パターンに伝導させることができるので、第一発光素子２１と第二発光素子２２との間の光出力の差をさらに小さくすることができる。したがって、さらに色ずれを認識させにくくすることができる。
【００９８】
また、本実施の形態における発光装置１において、第二発光素子２２は、伝熱パターン４０の端部に実装されている。これにより、本実施の形態のように、基板１０に異なる色の光を発する複数の発光素子を実装する場合に、これらの発光素子の距離を狭めることができ、色ムラを抑制できる。
【００９９】
また、本実施の形態における発光装置１において、伝熱パターン４０は、所定形状の金属パターンである。具体的には、伝熱パターン４０は、金によって構成されている。これにより、金属パターンである伝熱パターン４０の熱伝導率を高くすることができるので、第二発光素子２２で発生する熱を一層効率的に放熱させることができる。したがって、第一発光素子２１と第二発光素子２２との間の光出力の差をさらに小さくすることができるので、色ずれを一層認識させにくくすることができる。
【０１００】
また、本実施の形態において、赤色ＬＥＤチップである第二発光素子２２としては、ｐ側電極（表面電極）が半導体層の上面に形成され、かつ、ｎ側電極（裏面電極）が基板の裏面に形成された両面電極構造のものを用いたが、これに限らない。
【０１０１】
例えば、図５に示すように、半導体層の上面にｎ側電極２１ａ及びｐ側電極２１ｂが形成された片面電極構造の青色ＬＥＤチップである第一発光素子２１と同様に、第二発光素子２２として、半導体層の上面にｎ側電極２２ａ及びｐ側電極２２ｂの両電極が形成された片面電極構造の赤色ＬＥＤチップを用いてもよい。この場合、第二発光素子２２と伝熱パターン４０とはワイヤ７０によってワイヤボンディングされる。なお、図５では、封止部材３０を省略している。
【０１０２】
また、本実施の形態では、隣り合う発光素子の電気的接続は、ワイヤパッド５２を介して行ったが、隣り合う発光素子を、Ｃｈｉｐ−ｔｏ−Ｃｈｉｐによって直接ワイヤボンディングしてもよい。
【０１０３】
例えば、図６に示すように、隣り合う第一発光素子２１と第二発光素子２２とをワイヤ７０によって直接接続してもよい。具体的には、第一発光素子２１（青色ＬＥＤチップ）のｎ側電極２１ａと第二発光素子２２（赤色ＬＥＤチップ）の第２電極２２ｂとをワイヤ７０で接続し、第一発光素子２１のｐ側電極２１ｂと第二発光素子２２のｎ側電極２２ａとをワイヤ７０で接続する。なお、図６では、封止部材３０を省略している。
【０１０４】
また、本実施の形態において、伝熱パターン４０には、第一発光素子２１及び第二発光素子２２を動作（発光）させるための動作電流が流れていたが、伝熱パターン４０には、第一発光素子２１及び第二発光素子２２の動作電流が流れなくてもよい。つまり、伝熱パターン４０が、第一発光素子２１及び第二発光素子２２の電極（ｐ側電極、ｎ側電極）の電位に対して電気的に浮いた状態であってもよい。この場合、必要に応じて、伝熱パターン４０の代わりに、第一発光素子２１及び第二発光素子２２の動作電流が流れる金属配線を基板１０に形成してもよい。
【０１０５】
（実施の形態１の変形例）
次に、実施の形態１の変形例に係る発光装置１Ａについて、図７及び図８を用いて説明する。図７は、実施の形態１の変形例に係る発光装置の平面図であり、図８は、図７のＡ−Ａ’線における同発光装置の断面図である。
【０１０６】
上記実施の形態１では、発光素子としてＬＥＤチップを用いたが、本変形例では、発光素子として表面実装（ＳＭＤ：Ｓｕｒｆａｃｅ  Ｍｏｕｎｔ  Ｄｅｖｉｃｅ）型ＬＥＤ素子を用いている。つまり、本変形例では、ＬＥＤチップが個々にパッケージ化されたＳＭＤ型のＬＥＤ素子を用いている。
【０１０７】
そして、本変形例における発光装置１は、図７に示すように、基板１０と、基板１０に実装された第一発光素子２１Ａ及び第二発光素子２２Ａと、伝熱パターン４０と、配線パターン５１と、接続配線５３と、一対の給電端子６０を備える。
【０１０８】
本変形例でも、第二発光素子２２Ａは、伝熱パターン４０の上に実装されている。一方、第一発光素子２１Ａは伝熱パターン４０の上に実装されていない。
【０１０９】
図８に示すように、第一発光素子２１Ａは、第一容器２１Ａ１と、第一容器２１Ａ１内に実装された第一ＬＥＤチップ２１Ａ２と、第一ＬＥＤチップ２１Ａ２を封止する第一封止部材２１Ａ３とを有する。
【０１１０】
また、第二発光素子２２Ａは、第二容器２２Ａ１と、第二容器２２Ａ１内に実装された第二ＬＥＤチップ２２Ａ２と、第二ＬＥＤチップ２２Ａ２を封止する第二封止部材２２Ａ３とを有する。
【０１１１】
第一容器２１Ａ及び第二容器２２Ａ１は、例えば白色樹脂によって成形されたパッケージであり、凹部（キャビティ）を有する。凹部の内側面は傾斜しており、第一ＬＥＤチップ２１Ａ２又は第二ＬＥＤチップ２２Ａ２からの光を上方に反射させるように構成されている。
【０１１２】
第一ＬＥＤチップ２１Ａ２は、実施の形態１における青色ＬＥＤチップと同じである。また、第二ＬＥＤチップ２２Ａ２は、実施の形態１における赤色ＬＥＤチップと同じである。
【０１１３】
第一封止部材２１Ａ３は、第一容器２１Ａ１に封入されている。本変形例における第一封止部材２１Ａ３は、実施の形態１における封止部材３０と同様の構成とすることができる。つまり、黄色蛍光体等の波長変換材を含有するシリコーン樹脂等の透光性樹脂によって構成することができる。
【０１１４】
一方、第二封止部材２２Ａ３は、第二容器２２Ａ１に封入されている。第二封止部材２２Ａ３は、蛍光体等の波長変換材を含まないシリコーン樹脂等の透光性樹脂である。つまり、第二発光素子２２Ａからは第二ＬＥＤチップ２２Ａ２の光がそのままの波長の光で出射する。なお、第二封止部材２２Ａ３は設けなくてもよい。
【０１１５】
また、接続配線５３は、基板１０の第１主面に所定形状に形成された金属配線であり、基板上の複数の発光素子を所定の接続（直列／並列／直並列）とするために形成される。具体的には、接続配線５３は、図７及び図８に示すように、隣り合う第一発光素子２１Ａと第二発光素子２２Ａとを接続するために、第一発光素子２１Ａと第二発光素子２２Ａとの間に形成される。
【０１１６】
本変形例では、実施の形態１と同様に、２つの第一発光素子２１Ａと２つの第二発光素子２２Ａとが接続配線５３によって直列接続となるように接続されている。また、第一発光素子２１Ａ又は第二発光素子２２Ａと接続配線５３との接続は、例えば、図８に示すように、第一発光素子２１Ａ及び第二発光素子２２Ａのリード端子と接続配線５３とを半田等の導電性接着剤８０によって接続することで行われる。
【０１１７】
なお、接続配線５３は、伝熱パターン４０及び配線パターン５１と同じ金属材料を用いて同じ工程でパターニングすることで形成される。
【０１１８】
以上、本変形例における発光装置１Ａによれば、実施の形態１と同様の効果を奏することができる。
【０１１９】
すなわち、本変形例における発光装置１Ａによれば、伝熱パターン４０を設けない場合と比べて、電力投入時（ｔ＝0；点灯開始時）から時間ｔが経過しても、青色ＬＥＤチップを有する第一発光素子２１Ａと赤色ＬＥＤチップを有する第二発光素子２２Ａとの間の光出力の差を小さくすることができる。この結果、時間ｔの経過とともに発光装置１Ａから放出される光の発光色が変化したとしても、色ずれとして認識されにくくなる。
【０１２０】
また、実施の形態１と同様に、青色ＬＥＤチップと赤色ＬＥＤチップとを組み合わせることができるので、演色性に優れた発光装置１Ａを実現することができる。
【０１２１】
したがって、本変形例における発光装置１Ａによれば、演色性の向上と色ずれの抑制との両立を図ることができる。
【０１２２】
なお、本変形例では、伝熱パターン４０には、第一発光素子２１Ａ及び第二発光素子２２Ａの動作電流が流れていないが、伝熱パターン４０に、第一発光素子２１Ａ及び第二発光素子２２Ａの動作電流が流れるように構成してもよい。例えば、接続配線５３と伝熱パターン４０を連結してもよい。
【０１２３】
（実施の形態２）
次に、実施の形態２に係る照明装置１００について、図９及び図１０を用いて説明する。図９は、実施の形態２に係る照明装置の断面図である。図１０は、実施の形態２に係る照明装置及び当該照明装置に接続される周辺部材（点灯装置及び端子台）との外観斜視図である。
【０１２４】
図９及び図１０に示すように、本実施の形態に係る照明装置１００は、例えば住宅等の天井に埋込配設されることにより下方（廊下や壁等）に光を照明するダウンライト等の埋込型照明装置である。照明装置１００は、ＬＥＤ光源である発光装置１と、基部１１０及び枠体部１２０を結合してなる略有底筒状の器具本体と、当該器具本体に配置された、反射板１３０及び透光パネル１４０とを備える。
【０１２５】
基部１１０は、発光装置１が取り付けられる取付台であるとともに、発光装置１で発生する熱を放熱するヒートシンクである。基部１１０は、金属材料を用いて略円柱状に形成されており、本実施の形態ではアルミダイカスト製である。
【０１２６】
基部１１０の上部（天井側部分）には、上方に向かって突出する複数の放熱フィン１１１が一方向に沿って互いに一定の間隔をあけて設けられている。これにより、発光装置１で発生する熱を効率良く放熱させることができる。
【０１２７】
枠体部１２０は、内面に反射面を有する略円筒状のコーン部１２１と、コーン部１２１が取り付けられる枠体本体部１２２とを有する。コーン部１２１は、金属材料を用いて成形されており、例えば、アルミニウム合金等を絞り加工又はプレス成形することによって作製することができる。枠体本体部１２２は、硬質の樹脂材料又は金属材料によって成形されている。枠体部１２０は、枠体本体部１２２が基部１１０に取り付けられることによって固定されている。
【０１２８】
反射板１３０は、内面反射機能を有する円環枠状（漏斗状の）反射部材である。反射板１３０は、例えばアルミニウム等の金属材料を用いて形成することができる。なお、反射板１３０は、金属材料ではなく、硬質の白色樹脂材料によって形成してもよい。
【０１２９】
透光パネル１４０は、光拡散性及び透光性を有する透光部材である。透光パネル１４０は、反射板１３０と枠体部１２０との間に配置された平板プレートであり、反射板１３０に取り付けられている。透光パネル１４０は、例えばアクリルやポリカーボネート等の透明樹脂材料によって円盤状に形成することができる。
【０１３０】
なお、透光パネル１４０は設けなくても構わない。透光パネル１４０を設けない構成とすることにより、照明装置としての光束を向上させることができる。
【０１３１】
また、図１０に示すように、照明装置１００には、発光装置１に点灯電力を給電する点灯装置１５０と、商用電源からの交流電力を点灯装置１５０に中継する端子台１６０とが接続される。
【０１３２】
点灯装置１５０及び端子台１６０は、器具本体とは別体に設けられた取付板１７０に取付固定される。取付板１７０は、金属材料からなる矩形板状の部材を折り曲げて形成されており、その長手方向の一端部の下面に点灯装置１５０が取付固定されるとともに、他端部の下面に端子台１６０が取付固定される。取付板１７０は、器具本体の基部１１０の上部に取付固定された天板１８０と互いに連結される。
【０１３３】
このように、本実施の形態における発光装置１は、ダウンライト等の照明装置１００として実現することができる。そして、このように構成された照明装置１００によれば、実施の形態１に係る発光装置１を備えることによって、演色性の向上と色ずれの抑制との両立を図ることができる。
【０１３４】
特に、ダウンライトやスポットライトは、店舗等で特定の製品や商品を照らすことから演色性が要求されるので、本実施の形態における発光装置１を用いることによって、演色性の要求を満たしつつ、色ずれを効果的に抑制することができる。
【０１３５】
（実施の形態３）
次に、実施の形態３に係る電球形ランプ２００の構成について、図１１を用いて説明する。図１１は、実施の形態３に係る電球形ランプの構成概要を示す図である。
【０１３６】
図１１に示す電球形ランプ２００は、照明用光源の一例であり、上記実施の形態１に係る発光装置１を備える。
【０１３７】
電球形ランプ２００は、透光性のグローブ２０１と、光源である発光装置１と、発光装置１に電力を供給する駆動回路を収容する筐体２０４と、外部から電力を受ける口金２０５とを備える。
【０１３８】
口金２０５が受けた交流電力は、駆動回路によって直流電力に変換され、発光装置１に供給される。なお、口金２０５に直流電力が供給される場合、駆動回路は、直流から交流への変換機能を備えなくてもよい。
【０１３９】
また、本実施の形態では、発光装置１は、支柱２０２に支持されることで、グローブ２０１の中央部に配置されている。支柱２０２は、グローブ２０１の開口部の近傍からグローブ２０１の内方に向かって延びるように設けられた金属製の棒体である。
【０１４０】
具体的には、支柱２０２は、グローブ２０１の開口部の近傍に配置された支持台２０３に接続されている。
【０１４１】
なお、支柱２０２は設けなくてもよい。この場合、発光装置１は、支柱２０２ではなく、支持台２０３に直接的に支持されてもよい。つまり、支持台２０３のグローブ２０１側の面に発光装置１が取り付けられてもよい。
【０１４２】
グローブ２０１は、発光装置１からの光を外部に透過させる透光性カバーである。なお、本実施の形態におけるグローブ２０１は、発光装置１からの光に対して透明な材料によって構成されている。このようなグローブ２０１としては、例えば、可視光に対して透明なシリカガラス製のガラスバルブ（クリアバルブ）が採用される。この場合、グローブ２０１内に収容された発光装置１は、グローブ２０１の外側から視認することができる。
【０１４３】
なお、グローブ２０１は、必ずしも可視光に対して透明である必要はなく、グローブ２０１に光拡散機能を持たせてもよい。例えば、シリカ又は炭酸カルシウム等の光拡散材を含有する樹脂や白色顔料等をグローブ２０１の内面又は外面の全面に塗布して乳白色の光拡散膜を形成したり、グローブ２０１の表面に凹凸を形成したりすることで、光拡散機能を持たせることができる。また、グローブ２０１の材質としては、ガラス材に限らず、アクリル（ＰＭＭＡ）又はポリカーボネート（ＰＣ）等の合成樹脂等による樹脂材を用いてもよい。
【０１４４】
また、グローブ２０１の形状に特に限定はなく、例えば、発光装置１が支持台２０３に直接的に支持される場合（支柱２０２がない場合）、半球状のグローブ２０１が採用されてもよい。
【０１４５】
このように、本実施の形態における発光装置１は、電球形ランプ２００として実現することもできる。そして、このように構成された電球形ランプ２００によれば、実施の形態１に係る発光装置１を備えることによって、演色性の向上と色ずれの抑制との両立を図ることができる。
【０１４６】
なお、本実施の形態における発光装置１は、電球形ランプではなく、直管ランプ等の照明用光源として実現することもできる。
【０１４７】
また、このような電球形ランプは、当該電球形ランプを備える照明装置として実現することもできる。例えば、上記の電球形ランプと、当該電球形ランプが取り付けられる照明器具（点灯器具）とを備える照明装置として構成することができる。この場合、照明器具は、例えば、電球形ランプの口金が装着されるソケットを有するとともに天井に取り付けられる器具本体と、電球形ランプを覆うカバーとを備える。
【０１４８】
また、直管ランプは、当該直管ランプを備える照明装置として実現することもできることもできる。例えば、直管ランプと、当該直管ランプが取り付けられる一対のソケットを有する照明器具（点灯器具）とを備える照明装置として構成することができる。
【０１４９】
（その他の変形例等）
以上、本発明に係る発光装置、照明用光源及び照明装置について、実施の形態に基づいて説明したが、本発明は、上記の実施の形態に限定されるものではない。
【０１５０】
例えば、上記の実施の形態に係る発光装置では、青色ＬＥＤチップと黄色蛍光体との組み合わせによって白色光を生成したが、白色光を生成するための構成はこれに限らない。具体的には、赤色蛍光体及び緑色蛍光体を含有する蛍光体含有樹脂を用いて、これと青色ＬＥＤチップとを組み合わせて白色光を生成してもよい。あるいは、青色ＬＥＤチップよりも短波長である紫外光を出射する紫外ＬＥＤチップと、主に紫外光により励起されて三原色（赤色、緑色、青色）に発光する各色蛍光体とを組み合わせて白色光を生成してもよい。
【０１５１】
また、上記の実施の形態において、波長変換材として蛍光体を用いたが、これに限らない。例えば、波長変換材として、半導体、金属錯体、有機染料、顔料など、ある波長の光を吸収し、吸収した光とは異なる波長の光を発する物質を含んでいる材料を用いることができる。
【０１５２】
また、上記の実施の形態において、ＬＥＤチップを例示したが、ＬＥＤチップに代えて、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子、その他の固体発光素子を用いてもよい。
【０１５３】
また、上記の実施の形態では、発光装置をダウンライトやスポットライトに適用する例を示したが、これに限らない。例えば、上記の実施の形態における発光装置は、ベースライト等の他の照明器具（照明装置）の光源としても利用することができる。この場合、ベースライトとしては、発光装置を基台に直接取り付けた構造とすることもできる。また、上記の実施の形態における発光装置は、液晶表示装置等のバックライト光源、複写機等のランプ光源、又は、誘導灯や看板装置等の光源等、照明用途以外の光源としても利用することができる。
【０１５４】
その他、各実施の形態に対して当業者が思いつく各種変形を施して得られる形態、又は、本考案の趣旨を逸脱しない範囲で各実施の形態における構成要素及び機能を任意に組み合わせることで実現される形態も本考案に含まれる。
【符号の説明】
【０１５５】
１、１Ａ  発光装置
１０  基板
２１、２１Ａ  第一発光素子
２１ａ、２２ａ  ｎ側電極
２１ｂ、２２ｂ  ｐ側電極
２２、２２Ａ  第二発光素子
２１Ａ１  第一容器
２１Ａ２  第一ＬＥＤチップ
２１Ａ３  第一封止部材
２２Ａ１  第二容器
２２Ａ２  第二ＬＥＤチップ
２２Ａ３  第二封止部材
３０  封止部材
４０  伝熱パターン
５１  配線パターン
５２  ワイヤパッド
５３  接続配線
６０  給電端子
７０  ワイヤ
８０  導電性接着剤
１００  照明装置
１１０  基部
１１１  放熱フィン
１２０  枠体部
１２１  コーン部
１２２  枠体本体部
１３０  反射板
１４０  透光パネル
１５０  点灯装置
１６０  端子台
１７０  取付板
１８０  天板
２００  電球形ランプ
２０１  グローブ
２０２  支柱
２０３  支持台
２０４  筐体
２０５  口金
【図１】
2015130434.tif 000003
【図２】
2015130434.tif 000004
【図３】
2015130434.tif 000005
【図４Ａ】
2015130434.tif 000006
【図４Ｂ】
2015130434.tif 000007
【図５】
2015130434.tif 000008
【図６】
2015130434.tif 000009
【図７】
2015130434.tif 000010
【図８】
2015130434.tif 000011
【図９】
2015130434.tif 000012
【図１０】
2015130434.tif 000013
【図１１】
2015130434.tif 000014